(57)【要約】【課題】本発明は、移動式無線通信ネットワークの方法によって、および複数周波数のうち１つの方法によって構成された移動式無線通信装置を提供する。【解決手段】移動式無線通信装置は、装置内である期間の周波数間測定を許容するように構成された制御手段を有し、周波数間測定期間を、移動式無線通信装置内のより高いレイヤイベントに応答する方式で決定するように構成され、この高いレイヤイベントはアプリケーションレイヤイベントを備えることができる。【選択図】図１
2009524938.tif 000002
【特許請求の範囲】
【請求項１】
移動式無線通信ネットワークの方法によって、および複数周波数のうちの１つの方法によって通信するように構成された移動式無線通信装置であって、前記移動式無線通信装置は、装置内においてある期間の周波数間測定を許容するように構成された制御手段を有し、前記移動式無線通信装置は、前記周波数間測定の期間を、前記装置内のより高いレイヤイベントに応答した方式で決定するように構成されている、移動式無線通信装置。
【請求項２】
周波数間測定の対象となる複数周波数の表示が、前記装置へ伝送されるシステム情報内に受信されるように構成されている、請求項１に記載の装置。
【請求項３】
前記複数周波数の表示が前記移動式無線通信ネットワークから受信されるように構成されている、請求項１に記載の装置。
【請求項４】
前記周波数間測定はＲＡＴ間測定を備え得る、請求項１から３のいずれか１項に記載の装置。
【請求項５】
ＣＥＬＬ  ＰＣＨモード、ＵＲＡ  ＰＣＨモード、およびＩＤＬＥモードのうちの少なくとも１つにある場合に、周波数間測定を提供するように構成されている、請求項１から４のいずれか１項に記載の装置。
【請求項６】
前記ネットワークから前記測定が継続される期間の表示を受信するように構成されている、請求項１から５のいずれか１項に記載の装置。
【請求項７】
前記装置ユーザの過去の行動パターンに応答して、前記測定の継続期間を制御できるように構成されている、請求項１から５のいずれか１項に記載の装置。
【請求項８】
前記より高いレイヤイベントはアプリケーションレイヤイベントを備える、請求項１から７のいずれか１項に記載の装置。
【請求項９】
前記より高いレイヤイベントはユーザによって開始されるイベントを備える、請求項１から８のいずれか１項に記載の装置。
【請求項１０】
移動式無線通信装置を、移動式無線通信ネットワークの方法によって、また複数周波数の方法によって動作させる方法であって、前記方法は、装置内での周波数間測定の期間を、前記装置内のより高いレイヤイベントに応答する方式で制御するステップを含む方法。
【請求項１１】
システム情報内に周波数間測定の対象となる周波数の表示を提供するステップを含む、請求項１０に記載の方法。
【請求項１２】
周波数間測定の対象となる周波数の表示を前記ネットワークから提供するステップを含む、請求項１０に記載の方法。
【請求項１３】
ＲＡＴ間測定の形態の周波数間測定を提供するステップを含む、請求項１０から１２のいずれか１項に記載の方法。
【請求項１４】
前記周波数間測定は、ＣＥＬＬ  ＰＣＨモード、ＵＲＡ  ＰＣＨモード、ＩＤＬＥモードのうちの少なくとも１つにある場合に提供される、請求項１０から１３のいずれか１項に記載の方法。
【請求項１５】
前記周波数間測定を実行する期間が前記ネットワークから提供される、請求項１０から１４のいずれか１項に記載の方法。
【請求項１６】
実行される前記周波数間測定の期間が前記ユーザの過去の行動から決定される、請求項１０から１４のいずれか１項に記載の方法。
【請求項１７】
前記より高いレイヤイベントはアプリケーションレイヤイベントを備える、請求項１０から１６のいずれか１項に記載の方法。
【請求項１８】
前記イベントはユーザによって開始されるイベントを備える、請求項１０から１７のいずれか１項に記載の方法。
【請求項１９】
移動式無線通信ネットワークの方法で通信するように構成され、また、実質的に添付の図面を参照しながら説明したとおりの移動式無線通信装置。
【請求項２０】
移動式無線通信装置を移動式無線通信ネットワークの方法で動作し、また、実質的に添付の図面を参照しながら説明したとおりの方法。
【発明の詳細な説明】
【技術分野】
【０００１】
本発明は、周波数間または無線アクセス技術（ＲＡＴ）間での測定を可能にするための、移動式無線通信装置およびこの装置の制御方法に関する。
【背景技術】
【０００２】
離散タイプのサービスを提供するためには、広帯域符号分割多元接続（ＷＢＣＤＭＡ）ネットワークのような移動式無線通信ネットワークが益々必要になっている。例えば、パケット交換方式および回線交換方式の通信セッションには、専用チャネルを採用したＲ９９サービスが必要であり、また、回線交換通信用に専用の汎用機器を設けたＲｅｌ５サービスの提供も必要であり、その一方で、パケット交換通信用に高速ダウンロードパケットアクセス（ＨＳＤＰＡ）が必要であり得る。無論、ネットワーク内で両方のレベルのサービスを提供するためには、典型的なネットワーク構成を用いて、Ｒ９９サービスを一方の周波数にて利用可能にし、ＨＳＤＰＡサービスを他方の周波数にて利用可能にする。
【０００３】
全てのユーザ機器（ＵＥ）ハンドセットは１つのジェネリックレイヤ上に置かれるため、上記の各種サービスと各種周波数の位置は、無線リソース測定（ＲＲＭ）に関連した問題を示すことになる。そのため、現在のレイヤがＲ９９サービスをサポートする場合には、Ｒ９９ユーザ機器ハンドセットへの無線リソース割り当ては、比較的容易かつ迅速に達成できる。しかし、Ｒｅ１５ベアラサービスを必要とするＵＥハンドセットには、パケット交換サービスが必要な場合、まずＲ９９ベアラを割り当て（レイヤ内では通話が開始される）、次にできるだけ早く、他のレイヤに後続のハンドオーバ手順を実行しなければならないという欠点がある。他のレイヤへのハンドオーバを迅速かつ効率的に、また確実、即ち正確な方法で達成するには、ネットワークがセルおよび無線リソースの最適な選択を行えるよう、周波数間測定を実行するためのＵＥハンドセットが必要となる。
【発明の開示】
【発明が解決しようとする課題】
【０００４】
したがって、このような信頼性の高い周波数間測定の達成に要する時間は、ネットワークのチャネルモード交換時間を管理する制限因子となる。周波数間測定の信頼性が少しでも低下すると、ネットワークにより提供されたチャネルモード交換時間の欠点が増すことになる。
【０００５】
また、ＵＥハンドセットがＩＤＬＥ、ＣＥＬＬ  ＰＣＨ、ＵＲＡ  ＰＣＨ、無線リソース制御状態の何れかにある場合には、主に電力消費を制限し、ハンドセットの電池の寿命を延ばすために、周波数間測定を連続して行わない。さらに、一般的には、周波数間測定およびＲＡＴ間測定の実行は、サービスの品質が特定レベルを下回った場合に限られる。いずれの場合でも、電池資源を節約するために、周波数間測定およびＲＡＴ間測定が提供される期間は比較的短い。このように、移動機器発パケットの送信時、または移動機器発呼時と同時に周波数間測定またはＲＡＴ間測定が利用可能となる可能性は比較的低く、また実際には、このような測定がネットワークへ送信されることは不可能である。
【０００６】
周波数間測定／ＲＡＴ間測定を可能にするために通話設定時間を遅らせることが可能と考えられるかもしれないが、これは特定のバックグラウンドサービス、例えばフロントエンドにあるショートメッセージングシステムサービスにしか利用できず、また、たとえこれを利用しても、ユーザは依然としてこのような実現に伴う不利な制限を経験することになる。
【０００７】
一般に、電力消費を制限する必要性と、適切な周波数測定期間を提供する必要性とは真っ向から対立する。そのため、ＨＳＤＰＡレイヤへのチャネル交換を比較的迅速に行うために、周波数間測定と電池寿命の間に、特に移動機器発（ＭＯ）呼に関連したトレードオフが必要である。
【０００８】
本発明は、公知のこのような装置および方法に対して有利となる移動式無線通信装置と、その制御方法の提供を試みるものである。
【０００９】
具体的には、本発明は、ＩＤＬＥモード、ＣＥＬＬ  ＰＣＨモード、ＵＲＡ  ＰＣＨモードにある場合でも周波数間測定を実施できる移動式無線通信装置の提供を試みるものである。
【課題を解決するための手段】
【００１０】
本発明の第１の態様は、移動式無線通信ネットワークを通じて、複数の周波数のうち１つの周波数で通信を行うように構成された移動式無線通信装置であり、この移動式無線通信装置は、装置内で一定期間の周波数間測定を行えるように配列された制御手段を有し、この場合、移動式無線通信装置は、上記一定期間の周波数間測定を、装置内のより高いレイヤイベントに対応して決定するように構成されていることを特徴とする。
【００１１】
本発明は、現行技術では周波数間測定の継続が不可能である状況においても、周波数間測定を提供し続けることができる移動式無線通信装置を提供することができる。しかし、このような測定の継続期間を移動式無線通信装置の特定の動作モードに関連した何らかの形で規制して、電力消費を制限することができる。
【００１２】
周波数間測定の対象となる複数の周波数は、移動式無線通信装置ハンドセットに送信されるシステム情報内において提供されることが好ましい。
【００１３】
あるいは、複数の周波数の前記指示は前記移動式無線通信ネットワークから受信できる。
【００１４】
有利なことに、周波数間測定はＲＡＴ間測定を備えることができる。
【００１５】
具体的には本装置は、ＣＥＬＬ  ＰＣＨモード、ＵＲＡ  ＰＣＨモード、ＩＤＬＥモードのうち少なくとも１つにある場合に周波数間測定を提供するように構成されうる。
【００１６】
有利なことに、本装置は、測定を継続する期間の指示をネットワークから受信するように構成されている。
【００１７】
またさらに、測定を継続する期間は、移動式無線通信装置のユーザの過去の行動パターンに対応して制御されうる。
【００１８】
有利なことに、上記イベントはアプリケーションレイヤイベントを備える。
【００１９】
さらに、上記イベントはユーザによって開始されるイベントを備えることができる。
【００２０】
１つの具体的な実施形態では、移動式無線通信装置は、装置から発せられた通信セッションの前に上記測定を提供するように構成されている。
【００２１】
本発明の別の態様は、移動式無線通信ネットワークを通じて、複数の周波数の方法によって移動式無線通信装置を制御する方法であり、前記方法は、装置内の周波数間測定の一定の期間を、装置内のより高いレイヤイベントに対応して制御するステップを含む。
【００２２】
有利なことに、前記方法は、周波数間測定の対象となる周波数をシステム情報内に提供するステップを含む。
【００２３】
あるいは、周波数間測定の対象となる周波数値はネットワークから提供されうる。
【００２４】
前記方法は、周波数間測定を無線間アクセス技術測定の形態で提供するステップを含み得ることが好ましい。
【００２５】
具体的には、周波数間測定は、ＣＥＬＬ  ＰＣＨモード、ＵＲＡ  ＰＣＨモード、ＩＤＬＥモードの少なくとも１つのモードにある時に提供され得る。
【００２６】
さらなる特徴として、周波数間測定の実行期間自体はネットワークから提供することができる。
【００２７】
あるいは、周波数間測定を実行する期間はユーザの行動から決定できる。
【００２８】
具体的には、上述した方法においては、上記のより高いレイヤイベントはアプリケーションレイヤイベントを備えることができる。
【００２９】
またさらに、上記イベントはユーザによって開始されるイベントを備えることができる。
【００３０】
無論、本方法は、移動式無線通信装置によって開始される通信セッションに先行して提供することができる。
【００３１】
したがって、本発明は、特に移動機器発（ＭＯ）呼のためのＵＭＴＳ端末地上無線アクセスネットワーク（ＵＴＲＡＮ）に関連する無線リソース管理の為に許可されたサポートを提供するために、周波数間（ＲＡＴ間）測定をネットワークに報告できるよう、ユーザ／機器間の手順を標準化する構成を提供することができる。
【００３２】
本発明の方法によれば、周波数間測定を提供することができる方式を容易に拡張できるようになる。このような周波数間測定の電力効率的な提供を確実に行えることにより、本発明の方式によって測定可能な各種周波数の提供に関連する利点がさらに増すことになる。
【００３３】
例えば、ＨＳＤＰＡリソースは、ＨＳＤＰＡトラフィックを迅速に割り当てられるよう、一般的な固定方式を用いて、通常５個の符号ブロックにて割り当てられる。
【００３４】
これを考慮すると、Ｒ９９割り当ての動力を混合して固定ＨＳＤＰＡ割り当ての動力にするには問題が伴い、また、ＨＳＤＰＡリソースを別の周波数帯域内に配置することによってリソースを有利に区切れることが証明され得る。
【００３５】
本発明の方法によって、ＨＳＤＰＡリソースは別の周波数帯域内によりよく提供され、また、２つ以上の周波数プランの間に周波数間測定が提供される方式が強化される。
【００３６】
さらに、Ｒ９９とＲｅｌ５  ＨＳＤＰＡの電力制御は明らかに異なるため、これらのサービスを分離できるようにすることは、これが任意のサービスの相互運用性の問題や干渉を最小化するように機能できる限り、有利であると証明される。そのため、効率的な周波数間測定を提供することにより、このような相互運用性上の問題や干渉を防止するためにこれらサービスのレベルを有利かつ容易に分離できるようになる。
【００３７】
またさらに、ネットワークオペレータは、ＨＳＤＰＡサービスの使用が予想される２つの周波数の展開を試みることができるが、例えば並んで配置した２つのノードＢサービスにおいてＨＳＤＰＡサービスを展開するという解決法は高額なものとなる可能性がある。本発明によって周波数間測定を容易に提供できる限り、並んで配置された２つのノードＢ構成にＨＳＤＰＡサービスの提供する必要性は容易に回避することができる。
【００３８】
また、マルチメディア配信マルチキャストサービス（ＭＢＭＳ）は、一般にＨＳＤＰＡと類似のソースを必要とするため、ＨＳＤＰＡ／ＭＢＭＳレイヤへの周波数変換スキームの操作を試みることが望ましい場合が多い。本発明は、このような操作を有利に促進することができる。
【発明の効果】
【００３９】
このように、本発明は、移動式無線通信装置の具体的な動作方式／モードに即座に応答する形でＲＡＴ間測定のような周波数間測定を延長することができ、これにより、電源の寿命を維持しながら、周波数間測定データが利用可能となる機会を増やすことが可能となる。
【発明を実施するための最良の形態】
【００４０】
以降では、本発明の実施形態における異なるレイヤサービスと共に使用するように構成された移動式無線通信装置の略図を示した図面を参照しながら、本発明の一例を説明する。
【００４１】
図１では、周波数Ｘにて利用可能なＲ９９  ＤＣＨおよびＨＳＤＰＡサービスの第１レイヤの複数セル１２と、さらに周波数Ｙ内におけるＲ９９  ＤＣＨサービスの第２レイヤの複数セル１４との両方にアクセスするように構成されている移動式無線通信装置ハンドセットの形態を持つユーザ機器１０を示している。
【００４２】
このように、ネットワークが、ＨＳＤＰＡサービスのために周波数Ｘ信号を送信するように構成されうることがわかる。
【００４３】
図示した実施形態では、ハンドセット１０はＩＤＬＥモデルであり、Ｒ９９  ＤＣＨレイヤ上に置かれている。それでもハンドセット１０は、ネットワークから、Ｒ９９レイヤおよびＨＳＤＰＡレイヤの周波数とセルＩＤを受信する。
【００４４】
測定は、ＲＡＴ間セル測定またはＷｉＦｉ測定も備えうることがわかる。
【００４５】
また、図示した実施形態において、ユーザ機器ハンドセット１０は、これがＨＳＤＰＡをサポートしているかどうかの表示を含んでよく、所与の周波数レイヤまたはセルについての測定の準備を前もって行う。
【００４６】
本発明によれば、ユーザ機器ハンドセット１０は、移動式ハンドセット１０が関連するアプリケーションレイヤからのアクティビティを検出するアプリケーションレイヤイベントのような、より高いレイヤイベントの発生を識別した場合に、周波数間測定を行うことができる。
【００４７】
このようなアプリケーションレイヤアクティビティは、例えば、ユーザがパケット交換サービスの為にＳＭＳ画面を選択すること、または、ユーザがパケット交換サービスの為にブラウザを開くこと、または、ユーザが回線交換通話などを行うことなどを備えることができる。
【００４８】
このような適切なより高いレイヤイベントが識別されると、ユーザ機器ハンドセット１０が、特定タイプのサービスに好ましいとネットワークによって示された周波数／セルの測定を開始することができる。移動機器が最終的に通話を開始したら、これらの測定値をネットワークに提供することができ、また、ネットワークは、選択された周波数／セルに対して迅速にハンドオーバを実行することができる。
【００４９】
また、ユーザ機器ハンドセット１０は、ＣＥＬＬ  ＤＣＨ／ＣＥＬＬ  ＦＡＣＨモードからＣＥＬＬ  ＰＣＨモード、またはＵＲＡ  ＰＣＨモード、あるいはＩＤＬＥモードへ移行する際、戻りパケットあるいは受信できる通話が存在する可能性を提供するために、しばらく周波数／セルの測定を継続することができる。
【００５０】
以下にこのような動作についてさらに説明する。
【００５１】
ユーザが呼び出されるか、あるいは別の相手を呼び出す場合、即ち、ＩＤＬＥ状態からＣＥＬＬ  ＤＣＨ状態へ移行する場合で、その品質が適切でない場合には、ユーザは一旦電話を切ってＣＥＬＬ  ＤＣＨ状態からＩＤＬＥ状態へ戻し、ユーザ装置ハンドセットが再び周波数間測定を行えるようにした後に、ＩＤＬＥ状態からＣＥＬＬ  ＤＣＨ状態への移行を試みる。こうすることで、ネットワークが必要な周波数間ハンドオーバを実行できるようになる。
【００５２】
同様に、ユーザがインターネットからページをダウンロードすると仮定した場合、ＩＤＬＥ状態からＣＥＬＬ  ＤＣＨ  Ｒ９９状態へ移行し、ユーザがページを読んでいる間、ネットワークが移動機器をＣＥＬＬ  ＰＣＨ状態またはＵＲＡ  ＰＣＨ状態に切り替えることができるので、移動機器は周波数測定の提供を継続する。さらに、ユーザがさらにページのダウンロードを続けることができ、ハンドセット内でＣＥＬＬ  ＰＣＨ／ＵＲＡ  ＰＣＨモードからＣＥＬＬ  ＤＣＨモードへの移行が生じ、また、ネットワークを、移動式無線通信装置とＨＳＤＰＡレイヤが接続するように構成することができる。
【００５３】
周波数／セル間測定が継続して行なわれるようにユーザ装置ハンドセット１０を構成するための時間は、ネットワークによって直接決定され、ユーザ装置ハンドセットに明確に提供されるか、またはシステム情報内において配信される。あるいは、このような時間は、特定のユーザが決定したハンドセットの過去の行動によっても決定されうる。例えば、ブラウザのラウンチ後に、ユーザが即座に、または例えば３０秒以内に電子メールをチェックすることが通例である場合には、装置は、周波数間測定に適切な時間として３０秒間を選択することができる。あるいは、測定を１０秒間に変更し、この最初の１０秒間の後に周波数／セル間測定を行なうようにして、ユーザの具体的な行動パターンを反映させてもよい。
【００５４】
本発明は、現行の技術と比較した利点の提示を試みるものであり、ハンドセットは、例えばＣＥＬＬ  ＰＣＨモード、ＵＲＡ  ＰＣＨモード、ＩＤＬＥモードにある場合に周波数間測定を自発的に継続することができる。さらに、移動式無線通信装置がこのような機能を実行する時間は、装置ハンドセット内の画面／アクティビティレベルなどのより高レベルにて実行中のアプリケーションから装置が受信するイベント、およびこのアプリケーションから装置に送られた知識に基づいて決定されうる。決定された期間が失効すると、装置はこのような周波数間測定の実行を全て停止して、電池の寿命を引き延ばすように構成されている。
【００５５】
有利なことに、移動式無線通信装置が測定することが好ましい周波数／セルのリスト、または範囲を、システム情報にてハンドセットに提供することができる。あるいは、ネットワークがサポートしている各種の転送機構（ベアラ）によっては、ネットワークがこの情報をハンドセットに提供することができる。この転送機構のタイプには、例えばＲ９９  ＤＣＨ、ＥＤＧＥ、ＨＳＤＰＡ、ＥＤＣＨ、または起動された別タイプのＲＡＢが含まれる。
【００５６】
周波数間測定を始動できるより高レベルでのイベントは、ユーザによって始動された例えばＳＭＳ、ＰＯＣ、ブラウザ、ＳＫＹＰＥなどのような特定のアプリケーションによって決定されうる。例えば、ユーザが回線交換通話を開始すると仮定した場合、移動式無線通信装置は、Ｒ９９サービスをサポートする周波数について周波数間セル測定を実行することができる。この場合、ユーザが電話番号をダイヤルした後に、移動式無線通信装置はネットワークについて信頼性の高い周波数間測定を行うのに十分な時間を有するので、次に、ネットワークは通話開始の瞬間と同時にチャネルタイプ交換を実行することができる。
【００５７】
したがって本発明は、具体的なサービスが提示される周波数／セルを移動式無線通信装置に提供するようにネットワークを構成することができる場合に利点がある。
【００５８】
移動式無線通信装置は、このような周波数／セルの表示を使用することで、アプリケーションあるいはユーザの行動によって電話がかけられる、または通話が開始される前に適切な測定を行えるようになる。
【００５９】
先述したように、移動式無線通信装置は、測定を行うのに必要な時間の長さに関連して、ネットワークによって管理されたり、具体的な表示を受信したりすることが可能である。
【図面の簡単な説明】
【００６０】
【図１】本発明の実施形態における異なるレイヤサービスと共に使用するように構成された移動式無線通信装置の略図である。
【図１】
2009524938.tif 000003
【国際調査報告】
2009524938.tif 000004
2009524938.tif 000005